(57)【要約】【課題】多量の配信情報から位置情報を含む配信情報の検索作業の簡便化を図ること。【解決手段】路側無線装置を介して無線で送信される配信情報を受信するＤＳＲＣ部と、ＤＳＲＣ部により受信された配信情報を複数記憶する記憶部と、配信情報を表示する表示部と、記憶部に記憶されている複数の配信情報のうち、位置情報を含む配信情報を選出し、当該選出した配信情報を表示部に表示させる制御部と、を備える車載器。【選択図】図７
2009175610.tif 000002
【特許請求の範囲】
【請求項１】
路側無線装置を介して無線で送信される配信情報を受信する通信手段と、
前記通信手段により受信された前記配信情報を複数記憶する記憶手段と、
前記配信情報を表示する表示手段と、
前記記憶手段に記憶されている複数の配信情報のうち、位置情報を含む配信情報を選出し、当該選出した配信情報を前記表示手段に表示させる制御手段と、
を備える車載器。
【請求項２】
現在地の位置情報を検出する現在地検出手段を備え、
前記制御手段は、
前記現在地検出手段により検出された現在地の位置情報から予め設定された範囲以内の位置情報を含む前記配信情報を選出する、
請求項１に記載の車載器。
【請求項３】
目的地の指示が入力される入力手段を備え、
前記制御手段は、
前記入力手段により入力された目的地の位置情報から予め設定された範囲以内の位置情報を含む前記配信情報を選出する、
請求項１に記載の車載器。
【請求項４】
現在地の位置情報を検出する現在地検出手段と、
目的地の指示が入力される入力手段と、
前記現在地から前記目的地までの経路を算出し、当該経路に従って目的地までの誘導を行うナビゲーション制御手段と、
を備え、
前記制御手段は、
前記ナビゲーション制御手段により算出された経路から予め設定された範囲以内の位置情報を含む前記配信情報を選出する、
請求項１に記載の車載器。
【請求項５】
現在地の位置情報を検出する現在地検出手段を備え、
前記制御手段は、
前記予め設定された範囲として、前記現在地検出手段により検出された現在地の位置情報から予め設定された距離とする、
請求項２から４のいずれか一項に記載の車載器。
【請求項６】
前記表示手段は地図情報に基づく地図画面を表示し、
前記制御手段は、
前記地図画面上の前記選出した配信情報の位置情報に基づく位置に当該配信情報を示すアイコンを表示させる、
請求項１から５のいずれか一項に記載の車載器。
【請求項７】
前記制御手段は、
前記配信情報に含まれるデータから住所、電話番号、郵便番号、公共団体コードのいずれかの情報を抽出し、当該抽出した情報に基づいて前記位置情報を特定する、
請求項１から６のいずれか一項に記載の車載器。
【発明の詳細な説明】
【技術分野】
【０００１】
本発明は、車載器に関する。
【背景技術】
【０００２】
近年、ＤＳＲＣ（Dedicated Short Range Communication）等を利用して路上に設置された路側無線装置と狭域無線通信を行い、当該路側無線装置を介してセンター装置から情報提供を受けることが可能な車載器がある。
【０００３】
このような車載器を用いたシステムとしては、車両が路側無線装置の通信範囲内にある間のみ、車両に搭載された車載器と路側無線装置との双方向通信が可能となり、この間にセンター装置が路側無線装置を介して、配信情報（例えば、周辺の店舗や医療機関の情報、広告等）を配信するものがある。
【０００４】
当該車載器として、配信された地域情報を記憶し、路側装置と通信できない環境においても、当該地域情報を再生可能とする技術が開示されている（特許文献１参照）。
【特許文献１】特開２００７−１０９０３２号公報
【発明の開示】
【発明が解決しようとする課題】
【０００５】
このような車載器に記憶された配信情報は、多数の情報が含まれているため階層構造を用いて記憶することが検討されている。ユーザが所望の配信情報を検索する際には、この階層構造を順次下位層に進みながら目的とする配信情報を検索する作業が必要となるが、多量の配信情報がある場合や深い階層構造である場合には、例えば、位置情報を含む配信情報など、所望の配信情報を検索する手順が多くなり、ユーザにとって煩雑な作業となるという問題がある。
【０００６】
本発明の課題は、多量の配信情報から位置情報を含む配信情報の検索作業の簡便化を図ることである。
【課題を解決するための手段】
【０００７】
請求項１に記載の発明は、路側無線装置を介して無線で送信される配信情報を受信する通信手段と、前記通信手段により受信された前記配信情報を複数記憶する記憶手段と、前記配信情報を表示する表示手段と、前記記憶手段に記憶されている複数の配信情報のうち、位置情報を含む配信情報を選出し、当該選出した配信情報を前記表示手段に表示させる制御手段と、を備える車載器である。
【０００８】
請求項２に記載の発明は、請求項１に記載の車載器において、現在地の位置情報を検出する現在地検出手段を備え、前記制御手段は、前記現在地検出手段により検出された現在地の位置情報から予め設定された範囲以内の位置情報を含む前記配信情報を選出する。
【０００９】
請求項３に記載の発明は、請求項１に記載の車載器において、目的地の指示が入力される入力手段を備え、前記制御手段は、前記入力手段により入力された目的地の位置情報から予め設定された範囲以内の位置情報を含む前記配信情報を選出する。
【００１０】
請求項４に記載の発明は、請求項１に記載の車載器において、現在地の位置情報を検出する現在地検出手段と、目的地の指示が入力される入力手段と、前記現在地から前記目的地までの経路を算出し、当該経路に従って目的地までの誘導を行うナビゲーション制御手段と、を備え、前記制御手段は、前記ナビゲーション制御手段により算出された経路から予め設定された範囲以内の位置情報を含む前記配信情報を選出する。
【００１１】
請求項５に記載の発明は、請求項２から４のいずれか一項に記載の車載器において、現在地の位置情報を検出する現在地検出手段を備え、前記制御手段は、前記予め設定された範囲として、前記現在地検出手段により検出された現在地の位置情報から予め設定された距離とする。
【００１２】
請求項６に記載の発明は、請求項１から５のいずれか一項に記載の車載器において、前記表示手段は地図情報に基づく地図画面を表示し、前記制御手段は、前記地図画面上の前記選出した配信情報の位置情報に基づく位置に当該配信情報を示すアイコンを表示させる。
【００１３】
請求項７に記載の発明は、請求項１から６のいずれか一項に記載の車載器において、前記制御手段は、前記配信情報に含まれるデータから住所、電話番号、郵便番号、公共団体コードのいずれかの情報を抽出し、当該抽出した情報に基づいて前記位置情報を特定する。
【発明の効果】
【００１４】
本発明によれば、多量の配信情報から位置情報を含む配信情報の検索作業の簡便化を図ることができる。
【発明を実施するための最良の形態】
【００１５】
［実施の形態１］
まず、構成を説明する。
図１に、本実施の形態１における配信システム１００の構成図を示す。
配信システム１００は、図１に示すように、車両Ｃに搭載された車載器１０、路側無線装置２０、センター装置３０を含んで構成され、センター装置３０が路側無線装置２０を介して車載器１０に配信情報を配信する。配信情報とは、ユーザに提供するテキスト情報、画像情報、音情報等であり、その内容としては例えば店舗の広告や駐車場、医療施設の案内等、様々なものが挙げられる。
【００１６】
路側無線装置２０は路上や駐車場等に複数設置され、各路側無線装置２０はネットワークＮを介してセンター装置３０と接続されている。また、路側無線装置２０と、路上を走行する車両Ｃの車載器１０とは無線通信が可能である。
【００１７】
図１では１台のセンター装置３０のみ示したが、配信情報を配信する配信事業者は複数あり、センター装置３０は配信事業者毎に備えられるものであってもよい。
【００１８】
図２に、車載器１０が路側無線装置２０を介してセンター装置３０から受信する配信情報のイメージ図を示す。
図２に示すように、各配信情報は、配信情報毎に情報グループ化されており、各情報グループ（即ち、各配信情報）は、情報の内容により分類された識別番号（ＩＤ）から構成されている。
【００１９】
図３に、配信情報に含まれる各ＩＤの内容を示す。
図３に示すように、ＩＤ毎に情報の内容が分類されている。例えば、ＩＤ０２は、コンテンツの内容を示しており、コンテンツを特定する情報コード、情報提供企業表示テキスト、当該コンテンツ内容を特定するテキスト情報としての情報表示テキスト、嗜好データカテゴリなどを含んでいる。ＩＤ０４は、コンテンツの有効期限を示しており、開始年月日時分秒や終了年月日時分秒を含んでいる。ＩＤ０５は、コンテンツの提供時間を示しており、コンテンツ提供もとの営業時間やコンテンツの提供時間を含んでいる。また、ＩＤ１０は、コンテンツのサービスが提供可能な地点の経度緯度情報を示す対象地点座標、店舗名等のサービス対象地点の名称を示す対象地点表示用テキスト、サービス対象地点の説明を示す表示用文字データ、サービス提供可能な場所を示すアイコンのデータとしてのアイコン表示画像データなどを含んでいる。ＩＤ４０は、当該配信情報の詳細を示す詳細情報、表示用の詳細情報表示用文字データなどを含んでいる。
なお、情報グループは、全てのＩＤを含んでいなくともよい。
【００２０】
以下、各構成装置について詳細に説明する。
路側無線装置２０は、図４に示すように本体装置２０ａとアンテナ２０ｂとから構成されている。路側無線装置２０は、道路脇や道路上方に設置されたアンテナ２０ｂから、到達距離が限定されたＤＳＲＣの電波を放射して、路側無線装置２０近傍に路側エリアＺを形成する。この路側エリアＺ内にある車両Ｃの車載器１０とだけ双方向狭域無線通信が可能となる。以下、路側無線装置２０と車載器１０間の狭域無線通信を路車間通信という場合がある。
【００２１】
ＤＳＲＣは５．８ＧＨｚ帯域の電波を使った通信方式であり、その通信範囲は例えば数メートルから数十メートルである。路側無線装置２０からのＤＳＲＣの送信出力は何れも同じ程度に設定されているので、複数の路側無線装置２０がそれぞれ形成する路側エリアＺは設置場所に関係なく、ほぼ一定である。
【００２２】
本体装置２０ａは、車載器１０とセンター装置３０間の情報のやりとりを仲介するための処理を行う。すなわち、アンテナ２０ｂを介して車載器１０から受信された配信情報をセンター装置３０に転送し、センター装置３０から送信された配信情報を車載器１０へ転送する。本体装置２０ａは、情報処理や通信制御を行う制御部、記憶部等を備えたコンピュータ端末を適用することができる。
【００２３】
図５に、車載器１０の構成を示す。
図５に示すように、車載器１０は、カーナビ部１、通信モジュール２、ＤＳＲＣ部３、制御部４等を備えて構成されており、搭載された車両Ｃを目的地へ誘導するための処理等を行うナビゲーション機能の他、ＤＳＲＣによるＥＴＣ（Electronic Toll Collection System）利用のための処理を行う機能等を有している。なお、インターネットに接続可能な通信部を備えてもよい。
【００２４】
カーナビ部１は、カーナビ制御部１ａ、現在地検出部１ｂ、地図記憶部１ｃ、入力部１ｄ、表示部１ｅ、記憶部１ｆ等を備え、車両Ｃの現在地から目的地までの経路を算出し、当該経路に従って車両Ｃを目的地へ誘導するための処理を行う。
【００２５】
カーナビ制御部１ａは、現在地検出部１ｂから検出された現在地の位置情報及び地図記憶部１ｃに記憶された地図情報等に基づいて、車両Ｃの現在地から入力部１ｄを介して設定された目的地までの経路を算出する。そして、地図記憶部１ｃに記憶されている地図情報を用いて算出した経路へ誘導するための地図画面を生成し、表示部１ｅにより表示させ、ナビゲーション制御手段として機能する。
【００２６】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す位置情報（経度、緯度等の情報）を生成し、カーナビ制御部１ａに出力し、現在地検出手段として機能する。
【００２７】
地図記憶部１ｃは、メモリやＤＶＤ等の記録媒体から構成され、案内表示に必要な地図情報、地名データベース、郵便番号データベース、電話番号データベース、公共団体コード、通信モジュール２を介して受信されるガイド情報（道路情報、渋滞情報等）等を記憶している。
【００２８】
地名データベースには、住所表記の階層構造に基づいて階層的に区分された住所が、階層毎に記憶されている。階層としては、例えば、都道府県名の階層、都道府県名の階層に続く区市町村名の階層、区市町村名の階層に続く町大字名の階層、町大字名の階層に続く丁目字（通り名、通称名）の階層、番地の階層等である。
【００２９】
郵便番号データベースには、郵便番号に対応付けられた住所が記憶されている。電話番号データベースには、電話番号に対応付けられた住所が記憶されている。
公共団体コードは、都道府県、区市町村等で分けられた地域名に対応する識別番号である。
【００３０】
入力部１ｄは、操作キーや表示部１ｅと一体に構成されるタッチパネル等から構成され、これらの操作に対応する操作信号を生成し、制御部４に出力する。また、入力部１ｄは、操作キーやタッチパネル等から目的地の指示が入力される入力手段として機能する。
【００３１】
表示部１ｅは、モニタを備え、制御部４の制御に従ってモニタ上に各種情報を表示する。例えば、設定画面や地図画面、センター装置３０から受信した配信情報の表示画面等を表示し、表示手段として機能する。
【００３２】
記憶部１ｆは、メモリから構成され、制御部４やカーナビ制御部１ａにより実行される制御プログラム、プログラムの実行に必要なパラメータやデータ等を記憶している。
また、記憶部１ｆは、センター装置３０から受信した配信情報を複数記憶する記憶手段として機能する。
【００３３】
通信モジュール２は、光通信用、ＦＭ通信用、２．４ＧＨｚ電波通信用のアンテナをそれぞれ備え、通信センターと光通信、ＦＭ通信、電波通信等の各種通信を行う。例えば、通信モジュール２は通信センターから渋滞情報や道路交通情報等を受信し、制御部４に出力する。なお、通信センターとしてはＶＩＣＳセンター等を挙げることができるが、これに限らず、また、通信センターから受信する情報としては、渋滞情報や道路交通情報に限らない。
【００３４】
ＤＳＲＣ部３は、ＤＳＲＣ制御部３ａ、通信部３ｂ、記憶部３ｃ、ＥＴＣ処理部３ｅ、ＩＣカードＩ／Ｆ３ｆを備えて構成されており、ＤＳＲＣによるＥＴＣ利用のための処理や、センター装置３０から配信情報を受信するための通信処理等を行う通信手段として機能する。
【００３５】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書込処理を行わせる。
また、通信部３ｂにより路側無線装置２０を介して配信情報を受信した場合には、当該配信情報を制御部４に出力する。
【００３６】
通信部３ｂは、車両Ｃのダッシュボード上でフロントガラス近傍に固設されたアンテナを備え、このアンテナを介して路側無線装置２０やＥＴＣ基地局等と、ＤＳＲＣの電波の送受信を行う。
記憶部３ｃは、ＤＳＲＣ制御部３ａにより実行される制御プログラム等を記憶している。
【００３７】
ＥＴＣ処理部３ｅは、ＩＣカードＩ／Ｆ３ｆに挿抜されるＩＣ付きクレジットカード又はデビットカード等に対して決済情報等の読み書きを行う。
【００３８】
ＩＣカードＩ／Ｆ３ｆは、上記クレジットカード等のスロットを備え、このスロットに挿入されたクレジットカード等のＩＣとＥＴＣ処理部３ｅの間で情報のやりとりを仲介する。
【００３９】
制御部４は、ＣＰＵ（Central Processing Unit）、ＲＡＭ（Random Access Memory）等から構成され、記憶部１ｆに記憶された制御プログラムとの協働により各種演算を行う他、各部の集中制御を行う。例えば、路側無線装置２０との路車間通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信した配信情報の保存、再生制御等を行う。
【００４０】
また、制御部４は、記憶部１ｆに記憶されている複数の配信情報のうち、位置情報を含む配信情報を選出し、当該選出した配信情報を表示部１ｅに表示させる制御手段として機能する。
【００４１】
本実施の形態１における制御部４は、現在地検出部１ｂにより検出された現在地の位置情報から予め設定された範囲以内の位置情報を含む配信情報を選出し、選出した配信情報を現在地の位置情報から近い順に並べて表示部１ｅに表示、又は、地図画面上において、選出した配信情報の位置情報に基づく位置に当該配信情報を示すアイコンを表示させる。
【００４２】
更に、制御部４は、配信情報の位置情報として、ＩＤ１０の対象地点座標の経度緯度情報を用いたり、配信情報に含まれる文字や数字のデータから経度緯度情報を特定可能な住所、電話番号、郵便番号、公共団体コードのいずれかの情報を抽出し、当該抽出した情報に基づいて位置情報を特定したりする。
【００４３】
次に、動作について説明する。
図６に、車載器１０の制御部４により実行される抽出処理を説明するフローチャートを示す。図６に示す抽出処理は、記憶部１ｆに記憶されている複数の配信情報から表示部１ｅに表示される配信情報を選出する処理である。
【００４４】
制御部４は、まず、記憶部１ｆに配信情報を示す情報グループがあるか否かを判別し（ステップＳ１）、情報グループがない場合（ステップＳ１；Ｎｏ）、本処理を終了する。
【００４５】
制御部４は、情報グループがある場合（ステップＳ１；Ｙｅｓ）、記憶部１ｆに記憶されている情報グループ（例えば、図２に示す情報グループ１）を参照し（ステップＳ２）、当該参照する情報グループ（参照情報グループ）を対象とした後述する表示リストテーブル作成処理を実行する（ステップＳ３）。
【００４６】
制御部４は、ステップＳ３後、未参照の情報グループがあるか否かを判別し（ステップＳ４）、未参照の情報グループがある場合（ステップＳ４；Ｙｅｓ）、未参照の情報グループ（例えば、参照情報グループが図２に示す情報グループ１である場合には、当該情報グループ１の次に位置する情報グループ２）を参照し（ステップＳ５）、ステップＳ３に戻る。
【００４７】
制御部４は、未参照の情報グループがない場合（ステップＳ４；Ｎｏ）、本処理を終了する。
【００４８】
図７に、ステップＳ３において実行される表示リストテーブル作成処理のフローチャートを示す。本表示リストテーブル作成処理は、現在地検出部１ｂにより検出された現在地の位置情報から予め設定された距離（規定距離）以内の位置情報を含む配信情報（情報グループ）を表示リストテーブルに選出する処理である。
【００４９】
制御部４は、参照情報グループのＩＤ１０に対象地点座標があるか否かを判別し（ステップＳ１０）、対象地点座標がない場合（ステップＳ１０；Ｎｏ）、本処理を終了する。
【００５０】
制御部４は、対象地点座標がある場合（ステップＳ１０；Ｙｅｓ）、ＩＤ１０から対象地点座標ｐを抽出し（ステップＳ１１）、対象地点座標ｐは、地図画面に表示可能な座標か否か、即ち、地図記憶部１ｃに記憶されている地図情報に含まれている座標か否かを判別する（ステップＳ１２）。
【００５１】
制御部４は、対象地点座標ｐが地図画面に表示不可な座標である場合（ステップＳ１２；Ｎｏ）、本処理を終了する。制御部４は、対象地点座標ｐが地図画面に表示可能な座標である場合（ステップＳ１２；Ｙｅｓ）、現在地検出部１ｂにより現在地の位置情報として、現在地座標ｉを取得する（ステップＳ１３）。
【００５２】
制御部４は、現在地座標ｉと対象地点座標ｐとの距離ｄは、規定距離以内か否かを判別し（ステップＳ１４）、規定距離以内でない場合（ステップＳ１４；Ｎｏ）、本処理を終了する。
【００５３】
制御部４は、規定距離以内である場合（ステップＳ１４；Ｙｅｓ）、参照情報グループから表示リストテーブルに必要なデータを抽出して表示リストテーブルに追加し（ステップＳ１５）、距離ｄが小さい順に表示リストテーブル内のレコードを並び替え（ステップＳ１６）、本処理を終了する。
【００５４】
図８に、表示リストテーブルの例を示す。
図８に示すように、表示リストテーブルは、各情報グループから抽出されたデータからなるレコード毎に、距離ｄが小さい順に表示リスト番号が付されて記憶されている。
【００５５】
例えば、情報クループから抽出されるデータとしては、ＩＤ０２から情報コード、情報提供企業表示テキスト、情報表示テキスト、嗜好データカテゴリ、ＩＤ０４から有効期限、ＩＤ０５から営業時間に基づいた営業状態、ＩＤ１０から対象地点座標、アイコン表示画像データ、ＩＤ０２又はＩＤ４０に含まれるクーポン情報である。
【００５６】
図９に、ステップＳ３において実行される他の表示リストテーブル作成処理のフローチャートを示す。本表示リストテーブル作成処理は、現在地検出部１ｂにより検出された現在地の位置情報が含まれる地域及び当該地域に隣接する地域の位置情報を含む配信情報（情報グループ）を表示リストテーブルに選出する処理である。
【００５７】
なお、ステップＳ２０〜２２は、図７に示す表示リストテーブル作成処理のステップＳ１０〜１２と同様であるため、説明は省略する。
【００５８】
制御部４は、対象地点座標ｐが地図画面に表示可能な座標である場合（ステップＳ２２；Ｙｅｓ）、地図記憶部１ｃに記憶されている地図情報を参照して、対象地点座標ｐが含まれる地域を決定する（ステップＳ２３）。なお、この地域は、予め、都道府県単位や区市町村単位として設定されているものとする。
【００５９】
また、制御部４は、現在地検出部１ｂにより現在地の位置情報として、現在地座標ｉを取得し（ステップＳ２４）、当該現在地座標ｉが含まれる地域を決定する（ステップＳ２５）。
【００６０】
制御部４は、現在地座標ｉと対象地点座標ｐとは、同一地域又は隣接する地域か否かを判別し（ステップＳ２６）、同一又は隣接する地域でない場合（ステップＳ２６；Ｎｏ）、本処理を終了する。
【００６１】
制御部４は、同一又は隣接する地域である場合（ステップＳ２６；Ｙｅｓ）、現在地座標ｉと対象地点座標ｐとの距離ｄを算出し（ステップＳ２７）、参照情報グループから表示リストテーブルに必要なデータを抽出して表示リストテーブルに追加し（ステップＳ２８）、距離ｄが小さい順に表示リストテーブル内のレコードを並び替え（ステップＳ２９）、本処理を終了する。
【００６２】
図７及び図９に示した表示リストテーブル作成処理においては、配信情報（情報グループ）の位置情報として、ＩＤ１０の対象地点座標を用いているが、配信情報に含まれるデータから住所、電話番号、公共団体コードのいずれかの情報を抽出し、当該抽出した情報に基づいて位置座標を算出し、当該位置座標をＩＤ１０の対称地点座標としてもよい。
図１０〜１２に、この対象地点座標決定処理のフローチャートを示し、説明する。
【００６３】
図１０に、情報グループに含まれるデータから住所を特定し、当該住所に基づいて対象地点座標を決定する対象地点座標決定処理のフローチャートを示す。
【００６４】
制御部４は、参照情報グループのＩＤ１０の対象地点表示用テキストと、地図記憶部１ｃに記憶されている地名データベースの大区分（例えば、都道府県名の階層）とを比較し（ステップＳ３０）、対象地点表示用テキスト内に地名データベースの大区分と一致する地名があるか否かを判別する（ステップＳ３１）。
【００６５】
制御部４は、対象地点表示用テキスト内に地名データベースの大区分と一致する地名がない場合（ステップＳ３１；Ｎｏ）、参照情報グループのＩＤ１０の表示用文字データと、地名データベースの大区分とを比較し（ステップＳ３２）、表示用文字データ内に地名データベースの大区分と一致する地名があるか否かを判別する（ステップＳ３３）。
【００６６】
制御部４は、表示用文字データ内に地名データベースの大区分と一致する地名がない場合（ステップＳ３３；Ｎｏ）、対象地点座標ｐなしと決定し（ステップＳ３４）、本処理を終了する。
【００６７】
制御部４は、対象地点表示用テキスト内に地名データベースの大区分と一致する地名がある場合（ステップＳ３１；Ｙｅｓ）、又は、表示用文字データ内に地名データベースの大区分と一致する地名がある場合（ステップＳ３３；Ｙｅｓ）、一致した地名を地域名として決定し（ステップＳ３５）、当該地域名以降のテキストと地名データベースの大区分に続く小区分とを比較する（ステップＳ３６）。
【００６８】
制御部４は、地域名以降のテキストに地名データベースの小区分と一致する地名があるか否かを判別し（ステップＳ３７）、一致する地名がない場合（ステップＳ３７；Ｎｏ）、ステップＳ３４に進む。
【００６９】
制御部４は、地域名以降のテキストに地名データベースの小区分と一致する地名がある場合（ステップＳ３７；Ｙｅｓ）、当該一致する地名に続いて数字があるか否かを判別し（ステップＳ３８）、数字がない場合（ステップＳ３８；Ｎｏ）、ステップＳ３４に進む。
【００７０】
制御部４は、小区分と一致する地名に続いて数字がある場合（ステップＳ３８；Ｙｅｓ）、地域名から小区分と一致する地名に続く数字がテキストに切り替わるまでのデータ、即ち、地域名から最後の数字までを住所として決定する（ステップＳ３９）。
【００７１】
制御部４は、決定された住所と地図情報とに基づいて経度緯度を示す座標の算出処理を実行し（ステップＳ４０）、座標を特定できたか否かを判別し（ステップＳ４１）、座標を特定できない場合、例えば、決定した住所が地図情報に含まれていない場合（ステップＳ４１；Ｎｏ）、ステップＳ３４に進む。
【００７２】
制御部４は、座標を特定できた場合（ステップＳ４１；Ｙｅｓ）、算出した座標を対象地点座標ｐとして決定し（ステップＳ４２）、本処理を終了する。
なお、本処理において、地域名を決定する際、大区分（都道府県の階層）を参照して判別しているが、大区分よりも細かい区分（例えば、区市町村の階層）を参照して判別してもよい。
【００７３】
図１１に、情報グループに含まれるデータから電話番号を特定し、当該電話番号に基づいて対象地点座標を決定する対象地点座標決定処理のフローチャートを示す。
【００７４】
制御部４は、参照情報グループのＩＤ１０の表示用文字データに１０桁の数字が含まれているか否かを判別する（ステップＳ５０）。なお、この１０桁の数字は、ハイフン‘−’や括弧‘（’、‘）’が含まれていてもよく、例えば、０１２３４５６７８９の１０桁の連続した数字だけではなく、０１−２３４５−６７８９や０１（２３４５）６７８９という場合も１０桁の数字としてみなしてもよい。
【００７５】
制御部４は、１０桁の数字が含まれていない場合（ステップＳ５０；Ｎｏ）、対象地点座標ｐなしと決定し（ステップＳ５１）、本処理を終了する。
【００７６】
制御部４は、１０桁の数字が含まれている場合（ステップＳ５０；Ｙｅｓ）、当該１０桁の数字を電話番号として決定し（ステップＳ５２）、地図記憶部１ｃに記憶されている電話番号データベースを参照して決定した電話番号に対応する住所を検索し、検索された住所と地図情報とに基づいて経度緯度を示す座標の算出処理を実行する（ステップＳ５３）。
【００７７】
そして制御部４は、座標を特定できたか否かを判別し（ステップＳ５４）、座標を特定できない場合、例えば、決定した住所が地図情報に含まれていない場合（ステップＳ５４；Ｎｏ）、ステップＳ５１に進む。
【００７８】
制御部４は、座標を特定できた場合（ステップＳ５４；Ｙｅｓ）、算出した座標を対象地点座標ｐとして決定し（ステップＳ５５）、本処理を終了する。
【００７９】
図１２に、情報グループに含まれるデータから公共団体コードを特定し、当該公共団体コードに基づいて対象地点座標を決定する対象地点座標決定処理のフローチャートを示す。
【００８０】
制御部４は、参照情報グループのＩＤ４０の詳細情報と、地図記憶部１ｃに記憶されている公共団体コードとを比較し（ステップＳ７０）、詳細情報内に公共団体コードと一致するコードがあるか否かを判別する（ステップＳ７１）。
【００８１】
制御部４は、詳細情報内に公共団体コードと一致するコードがない場合（ステップＳ７１；Ｎｏ）、対象地点座標ｐなしと決定し（ステップＳ７２）、本処理を終了する。
【００８２】
制御部４は、詳細情報内に公共団体コードと一致するコードがある場合（ステップＳ７１；Ｙｅｓ）、一致したコードに対応する地域名（例えば、都道府県名、区市町村名）を決定し（ステップＳ７３）、ＩＤ１０の表示用文字データと決定した地域名とを比較し（ステップＳ７４）、表示用文字データ内に地域名と一致する地域名があるか否かを判別し（ステップＳ７５）、一致する地域名がない場合（ステップＳ７５；Ｎｏ）、ステップＳ７２に進む。
【００８３】
制御部４は、表示用文字データ内に地域名と一致する地域名がある場合（ステップＳ７５；Ｙｅｓ）、当該一致する地域名に続いて数字があるか否かを判別し（ステップＳ７６）、数字がない場合（ステップＳ７６；Ｎｏ）、ステップＳ７２に進む。
【００８４】
制御部４は、一致する地域名に続いて数字がある場合（ステップＳ７６；Ｙｅｓ）、地域名に続く数字がテキストに切り替わるまでのデータ、即ち、地域名から最後の数字までを住所として決定する（ステップＳ７７）。
【００８５】
制御部４は、決定された住所と地図情報とに基づいて経度緯度を示す座標の算出処理を実行し（ステップＳ７８）、座標を特定できたか否かを判別し（ステップＳ７９）、座標を特定できない場合、例えば、決定した住所が地図情報に含まれていない場合（ステップＳ７９；Ｎｏ）、ステップＳ７２に進む。
【００８６】
制御部４は、座標を特定できた場合（ステップＳ７９；Ｙｅｓ）、算出した座標を対象地点座標ｐとして決定し（ステップＳ８０）、本処理を終了する。
【００８７】
また、配信情報（情報グループ）の位置情報として、位置座標に限らず、郵便番号により特定される地域を用いてもよい。図９に示した表示リストテーブル作成処理において、ＩＤ１０の対象地点座標を用いずに情報グループに含まれるデータから郵便番号を特定し、現在地の位置情報が含まれる地域及び当該地域に隣接する地域を示す郵便番号を含む配信情報（情報グループ）を表示リストテーブルに選出することもできる。
図１３に、郵便番号を用いた表示リストテーブル作成処理のフローチャートを示す。
【００８８】
制御部４は、参照情報グループのＩＤ１０の表示用文字データに７桁の数字が含まれているか否かを判別する（ステップＳ２００）。なお、この７桁の数字は、ハイフン‘−’が含まれていてもよく、例えば、１２３４５６７の７桁の連続した数字だけではなく、１２３−４５６７という場合も７桁の数字としてみなしてもよい。
【００８９】
制御部４は、７桁の数字が含まれていない場合（ステップＳ２００；Ｎｏ）、本処理を終了する。
【００９０】
制御部４は、７桁の数字が含まれている場合（ステップＳ２００；Ｙｅｓ）、当該７桁の数字を郵便番号として決定し（ステップＳ２０１）、地図記憶部１ｃに記憶されている郵便番号データベースを参照して決定した郵便番号に対応する住所を検索し、検索された住所と地図情報とに基づいて、当該住所が含まれる地域を特定し、特定とされた地域を対照地域ｐに決定する（ステップＳ２０２）。
【００９１】
また、制御部４は、現在地検出部１ｂにより現在地の位置情報として、現在地座標を取得し（ステップＳ２０３）、当該現在地座標が含まれる地域を特定し、当該地域を現在地域ｉに決定する（ステップＳ２０４）。
【００９２】
制御部４は、現在地域ｉと対象地域ｐとは、同一地域又は隣接する地域か否かを判別し（ステップＳ２０５）、同一又は隣接する地域でない場合（ステップＳ２０５；Ｎｏ）、本処理を終了する。
【００９３】
制御部４は、同一又は隣接する地域である場合（ステップＳ２０５；Ｙｅｓ）、現在地域ｉと対象地域ｐとの距離ｄを算出し（ステップＳ２０６）、参照情報グループから表示リストテーブルに必要なデータを抽出して表示リストテーブルに追加し（ステップＳ２０７）、距離ｄが小さい順に表示リストテーブル内のレコードを並び替え（ステップＳ２０８）、本処理を終了する。
【００９４】
なお、ステップＳ２０６における地域間の距離ｄの算出方法としては、予めカーナビ部１で地域毎に代表座標として特定の座標を設定しておくことにより、当該地域毎の代表座標間の距離を距離ｄとして算出することができる。
【００９５】
図１０〜１３に示すように、ＩＤ１０に対象地点座標が無い場合であっても、表示リストテーブルを作成することができる。
【００９６】
図１４、図１６に、作成された表示リストテーブルの内容を表示するリスト画面を表示部１ｅに表示させるリスト画面表示処理のフローチャートを示す。
【００９７】
図１４に、作成された表示リストテーブルの内容が表形式で示されたリスト画面を表示させるリスト画面表示処理のフローチャートを示し、説明する。
【００９８】
制御部４は、入力部１ｄからリスト画面の表示要求の操作指示があるか否かを判別し（ステップＳ８１）、リスト画面の表示要求の操作指示がない場合（ステップＳ８１；Ｎｏ）、ステップＳ８１に戻る。
【００９９】
制御部４は、リスト画面の表示要求の操作指示がある場合（ステップＳ８１；Ｙｅｓ）、表示リストテーブルに基づいてリスト画面を作成し（ステップＳ８２）、作成したリスト画面を表示部１ｅに表示させ（ステップＳ８３）、本処理を終了する。
【０１００】
図１５に、ステップＳ８３において表示されるリスト画面の例を示す。
図１５に示すように、リスト画面Ｇ１は、表示リスト領域Ｅ１、並替ボタンＢ１ａ、条件ボタンＢ１ｂ等を有している。
表示リスト領域Ｅ１は、表示リストテーブルを構成する各情報グループのレコードの内容を示す項目が表形式で表示される。この表示リスト領域Ｅ１に表示される項目の順番は、表示リストテーブルを構成する情報グループのレコードの順番と同じ、即ち、現在地の位置情報から近い順であり、また、この項目が選択されると、選択された項目の情報グループの内容を表示する詳細画面処理が実行される。
【０１０１】
並替ボタンＢ１ａは、表示リスト領域Ｅ１に表示されている項目を並び替える指示が入力されるボタンである。条件ボタンＢ１ｂは、表示リスト領域Ｅ１に表示される項目を条件で選ぶ指示が入力されるボタンである。
【０１０２】
図１６に、表示リストテーブルの各情報グループの位置情報に基づく地図画面上の位置に、各情報グループに対応するアイコンが表示された地図画面を表示させるリスト画面表示処理のフローチャートを示し、説明する。
【０１０３】
制御部４は、表示部１ｅに地図画面が表示されている場合において、地図画面の表示更新タイミング（例えば、車両位置が移動することにより、表示する地図を更新する必要が生じるタイミング。）か否かを判別し（ステップＳ９０）、地図画面の表示変更タイミングでない場合（ステップＳ９０；Ｎｏ）、ステップＳ９６に進む。
【０１０４】
制御部４は、地図画面の表示更新タイミングである場合（ステップＳ９０；Ｙｅｓ）、表示リストテーブルの先頭のデータ（先頭のレコード）を参照し（ステップＳ９１）、この参照したデータ（参照データ）に含まれる対象地点座標は次に表示される地図画面（更新する地図画面）内の地図情報に含まれる座標か否かを判別する（ステップＳ９２）。
【０１０５】
制御部４は、参照データに含まれる対象地点座標が次に表示される地図画面内の地図情報に含まれる座標である場合（ステップＳ９２；Ｙｅｓ）、参照データに含まれるアイコン表示画像データに基づくアイコンを当該地図画面内における当該対象地点座標の位置に表示させる（ステップＳ９３）。なお、アイコン表示画像データがない場合には、予め設定されたアイコンを表示させてもよい。
【０１０６】
制御部４は、参照データに含まれる対象地点座標が次に表示される地図画面内の地図情報に含まれる座標でない場合（ステップＳ９２；Ｎｏ）、又は、ステップＳ９３後、参照データは表示リストテーブルの最終番目のデータ（レコード）であるか否かを判別し（ステップＳ９４）、最終番目のデータでない場合（ステップＳ９４；Ｎｏ）、参照データの次のデータを参照データとして設定し（ステップＳ９５）、ステップＳ９２に戻る。
【０１０７】
制御部４は、参照データは最終番目のデータである場合（ステップＳ９４；Ｙｅｓ）、入力部１ｄから地図画面の表示をオフする（閉じる）操作指示があるか否かを判別し（ステップＳ９６）、地図画面の表示をオフする操作指示がない場合（ステップＳ９６；Ｎｏ）、ステップＳ９０に戻り、地図画面の表示をオフする操作指示がある場合（ステップＳ９６；Ｙｅｓ）、本処理を終了する。
【０１０８】
図１７に、ステップＳ９２〜９５の処理によって表示される地図画面の例を示す。
図１７に示すように、地図画面Ｇ２は、地図領域Ｅ２上に複数のアイコンＢ２ａ、Ｂ２ｂが表示されている。
アイコンＢ２ａ、Ｂ２ｂは、それぞれアイコン表示画像データに基づいて生成された画像であり、各情報グループの内容を表す特徴的な画像であることが好ましい。また、このアイコンが選択されると、選択されたアイコンの情報グループの内容を表示する詳細画面処理が実行される。
【０１０９】
図１８、図２０に、詳細画面表示処理のフローチャートを示す。
図１８に、リスト画面の項目が選択された際の詳細画面表示処理のフローチャートを示す。
制御部４は、表示部１ｅに表示されているリスト画面の複数の項目のうち、いずれかの項目の選択指示があるか否かを判別し（ステップＳ１００）、項目の選択指示がない場合（ステップＳ１００；Ｎｏ）、ステップＳ１００に戻る。
【０１１０】
制御部４は、リスト画面から項目の選択指示がある場合（ステップＳ１００；Ｙｅｓ）、選択指示された項目に対応する情報コードを表示リストテーブルから取得し（ステップＳ１０１）、記憶部１ｆから取得した情報コードに対応する情報グループを参照し、当該情報グループから詳細画面に必要なデータを各ＩＤから取得し、詳細画面を生成する（ステップＳ１０２）。
【０１１１】
制御部４は、ステップＳ１０２において生成した詳細画面を表示部１ｅに表示させ（ステップＳ１０３）、本処理を終了する。
【０１１２】
図１９に、ステップＳ１０３において表示される詳細画面の例を示す。
図１９に示すように、詳細画面Ｇ３は、メッセージ領域Ｅ３、ネットワーク接続ボタンＢ３ａ、戻るボタンＢ３ｂを有する。
メッセージ領域Ｅ３は、選択された項目に対応する情報グループの各ＩＤのデータに基づいて当該情報グループの内容を示すメッセージや画像が表示される領域である。
【０１１３】
ネットワーク接続ボタンＢ３ａは、当該情報グループにＵＲＬ（Uniform Resource Locator）情報が含まれている場合、インターネット接続可能な通信部を介してＵＲＬに示されたウェブページにアクセスする指示の入力を受け付けるボタンである。戻るボタンＢ３ｂは、当該詳細画面Ｇ３の前に表示されていた画面、即ち、リスト画面に戻る指示の入力を受け付けるボタンである。
【０１１４】
図２０に、地図画面上のアイコンが選択された際の詳細画面表示処理のフローチャートを示す。
制御部４は、表示部１ｅに表示されている地図画面上に表示された複数のアイコンのうち、いずれかのアイコンの選択指示があるか否かを判別し（ステップＳ１１０）、アイコンの選択指示がない場合（ステップＳ１１０；Ｎｏ）、ステップＳ１１０に戻る。
【０１１５】
制御部４は、地図画面からアイコンの選択指示がある場合（ステップＳ１１０；Ｙｅｓ）、選択指示されたアイコンに対応する情報コードを表示リストテーブルから取得し（ステップＳ１１１）、記憶部１ｆから取得した情報コードに対応する情報グループを参照し、当該情報グループから詳細画面に必要なデータを各ＩＤから取得し、詳細画面を生成する（ステップＳ１１２）。
【０１１６】
制御部４は、ステップＳ１１２において生成した詳細画面を表示部１ｅに表示させ（ステップＳ１１３）、本処理を終了する。なお、ステップＳ１１３において表示される詳細画面は、図１８のステップＳ１０３において表示される詳細画面と同様であるため、図示及び説明は省略する。
【０１１７】
［実施の形態２］
以下、図を参照して本発明の実施の形態２を詳細に説明する。
本実施の形態２における配信システムの構成、配信情報、配信情報に含まれる各ＩＤの内容、路側無線装置２０の構成は、実施の形態１と同様であるため、図示及び説明は省略する。また、車載器１０は、制御部４において実行される表示リストテーブル作成処理が異なる以外は実施の形態１と同様であるため、図示を省略し、異なる部分のみ説明する。
【０１１８】
本実施の形態２における制御部４は、入力部１ｄにより入力された目的地の位置情報から予め設定された範囲以内の位置情報を含む配信情報を選出し、選出した配信情報を目的地の位置情報から近い順に並べて表示部１ｅに表示、又は、地図画面上において、選出した配信情報の位置情報に基づく位置に当該配信情報を示すアイコンを表示させる。
【０１１９】
更に、制御部４は、配信情報の位置情報として、ＩＤ１０の対象地点座標の経度緯度情報を用いたり、配信情報に含まれる文字や数字のデータから経度緯度情報を特定可能な住所、電話番号、郵便番号、公共団体コードのいずれかの情報を抽出し、当該抽出した情報に基づいて位置情報を特定したりする。
【０１２０】
次に、動作について説明する。
本実施の形態２における車載器１０の制御部４により実行される抽出処理は、表示リストテーブル作成処理の内容が異なる以外は実施の形態１と同様であるため、図示及び説明は省略する。
【０１２１】
図２１に、本実施の形態２における表示リストテーブル作成処理のフローチャートを示す。
本表示リストテーブル作成処理は、入力部１ｄにより入力された目的地の位置情報から予め設定された距離（規定処理）以内の位置情報を含む配信情報（情報グループ）を表示リストテーブルに選出する処理である。
【０１２２】
図２１に示す表示リストテーブル作成処理のステップＳ１２０〜１２２は、図７に示す実施の形態１の表示リストテーブル作成処理のステップＳ１０〜１２と同様であるため、説明は省略する。
【０１２３】
制御部４は、対象地点座標ｐが地図画面に表示可能な座標である場合（ステップＳ１２；Ｙｅｓ）、入力部１ｄにより入力された目的地の位置情報として、目的地座標ｉを取得する（ステップＳ１２３）。
【０１２４】
目的地座標ｉは、入力部１ｄにより入力された目的地に対応する座標（緯度、経度）である。地図画面が表示された状態でタッチパネルから目的地が入力された際には、地図画面上の座標となり、操作キーやタッチパネルから住所、電話番号、郵便番号が目的地として入力された際には、当該住所、電話番号に基づく住所、郵便番号に基づく住所と地図情報とに基づいて算出される座標となる。
【０１２５】
制御部４は、目的地座標ｉと対象地点座標ｐとの距離ｄは、規定距離以内か否かを判別し（ステップＳ１２４）、規定距離以内でない場合（ステップＳ１２４；Ｎｏ）、本処理を終了する。
【０１２６】
制御部４は、規定距離以内である場合（ステップＳ１２４；Ｙｅｓ）、参照情報グループから表示リストテーブルに必要なデータを抽出して表示リストテーブルに追加し（ステップＳ１２５）、距離ｄが小さい順に表示リストテーブル内のレコードを並び替え（ステップＳ１２６）、本処理を終了する。
【０１２７】
表示リストテーブルの例は、図８に示す実施の形態１の表示リストテーブルの例と同様であるため、図示及び説明は省略する。
【０１２８】
図２２に、本実施の形態２における他の表示リストテーブル作成処理のフローチャートを示す。本表示リストテーブル作成処理は、入力部１ｄにより入力された目的地の位置情報が含まれる地域及び当該地域に隣接する地域の位置情報を含む配信情報（情報グループ）を表示リストテーブルに選出する処理である。
【０１２９】
なお、ステップＳ１３０〜１３３は、図９に示す実施の形態１の表示リストテーブル作成処理のステップＳ２０〜２３と同様であるため、説明は省略する。
【０１３０】
制御部４は、入力部１ｄにより目的地の位置情報として、目的地座標ｉを取得し（ステップＳ１３４）、当該目的地座標ｉが含まれる地域を決定する（ステップＳ１３５）。
なお、目的地座標ｉは、図２１に示す表示リストテーブル作成処理における目的地座標と同様に取得できるため、説明は省略する。
【０１３１】
制御部４は、目的地座標ｉと対象地点座標ｐとは、同一地域又は隣接する地域か否かを判別し（ステップＳ１３６）、同一又は隣接する地域でない場合（ステップＳ１３６；Ｎｏ）、本処理を終了する。
【０１３２】
制御部４は、同一又は隣接する地域である場合（ステップＳ１３６；Ｙｅｓ）、目的地座標ｉと対象地点座標ｐとの距離ｄを算出し（ステップＳ１３７）、参照情報グループから表示リストテーブルに必要なデータを抽出して表示リストテーブルに追加し（ステップＳ１３８）、距離ｄが小さい順に表示リストテーブル内のレコードを並び替え（ステップＳ１３９）、本処理を終了する。
【０１３３】
図２１及び図２２に示した表示リストテーブル作成処理においては、配信情報（情報グループ）の位置情報として、ＩＤ１０の対象地点座標を用いているが、実施の形態１と同様に、配信情報に含まれるデータから住所、電話番号、公共団体コードのいずれかの情報を抽出し、当該抽出した情報に基づいて位置座標を算出し、当該位置座標をＩＤ１０の対称地点座標としてもよい。なお、この対象地点座標決定処理のフローチャートは、実施の形態１と同様であるため、図示及び説明は省略する。
【０１３４】
また、配信情報（情報グループ）の位置情報として、位置座標に限らず、郵便番号により特定される地域を用いてもよい。図２２に示した表示リストテーブル作成処理において、ＩＤ１０の対象地点座標を用いずに情報グループに含まれるデータから郵便番号を特定し、目的地の位置情報が含まれる地域及び当該地域に隣接する地域を示す郵便番号を含む配信情報（情報グループ）を表示リストテーブルに選出することもできる。
図２３に、郵便番号を用いた表示リストテーブル作成処理のフローチャートを示す。
【０１３５】
なお、ステップＳ２１０〜２１２は、図１３に示す実施の形態１の表示リストテーブル作成処理のステップＳ２００〜２０２と同様であるため、説明は省略する。
【０１３６】
制御部４は、入力部１ｄにより入力された目的地の位置情報として、目的地座標を取得し（ステップＳ２１３）。当該目的地座標が含まれる地域を特定し、当該地域を目的地域ｉに決定する（ステップＳ２１４）。なお、目的地座標は、図２１に示す表示リストテーブル作成処理における目的地座標と同様に取得できるため、説明は省略する。
【０１３７】
制御部４は、目的地域ｉと対象地域ｐとは、同一地域又は隣接する地域か否かを判別し（ステップＳ２１５）、同一又は隣接する地域でない場合（ステップＳ２１５；Ｎｏ）、本処理を終了する。
【０１３８】
制御部４は、同一又は隣接する地域である場合（ステップＳ２１５；Ｙｅｓ）、目的地域ｉと対象地域ｐとの距離ｄを算出し（ステップＳ２１６）、参照情報グループから表示リストテーブルに必要なデータを抽出して表示リストテーブルに追加し（ステップＳ２１７）、距離ｄが小さい順に表示リストテーブルを並び替え（ステップＳ２１８）、本処理を終了する。
【０１３９】
なお、ステップＳ２１６における地域間の距離ｄの算出方法は、図１３に示す地域間の距離ｄの算出方法と同様に求めることができる。
【０１４０】
作成された表示リストテーブルの内容を表示するリスト画面を表示部１ｅに表示させるリスト画面表示処理、リスト画面の例、詳細画面表示処理、詳細画面の例は、実施の形態１と同様であるため、図示及び説明は省略する。
【０１４１】
［実施の形態３］
以下、図を参照して本発明の実施の形態３を詳細に説明する。
本実施の形態３における配信システムの構成、配信情報、配信情報に含まれる各ＩＤの内容、路側無線装置２０の構成は、実施の形態１と同様であるため、図示及び説明は省略する。また、車載器１０は、制御部４において実行される表示リストテーブル作成処理が異なる以外は実施の形態１と同様であるため、図示を省略し、異なる部分のみ説明する。
【０１４２】
本実施の形態３における制御部４は、カーナビ制御部１ａにより算出された経路から予め設定された範囲以内の位置情報を含む配信情報を選出し、選出した配信情報を現在地の位置情報から近い順に並べて表示部１ｅに表示、又は、地図画面上において、選出した配信情報の位置情報に基づく位置に当該配信情報を示すアイコンを表示させる。
【０１４３】
更に、制御部４は、配信情報の位置情報として、ＩＤ１０の対象地点座標の経度緯度情報を用いたり、配信情報に含まれる文字や数字のデータから経度緯度情報を特定可能な住所、電話番号、郵便番号、公共団体コードのいずれかの情報を抽出し、当該抽出した情報に基づいて位置情報を特定したりする。
【０１４４】
次に、動作について説明する。
本実施の形態３における車載器１０の制御部４により実行される抽出処理は、表示リストテーブル作成処理の内容が異なる以外は実施の形態１と同様であるため、図示及び説明は省略する。
【０１４５】
図２４に、本実施の形態３における表示リストテーブル作成処理のフローチャートを示す。
本表示リストテーブル作成処理は、入力部１ｄにより入力された目的地から現在地までの経路において、当該経路から予め設定された距離（規定処理）以内の位置情報を含む配信情報（情報グループ）を表示リストテーブルに選出する処理である。
【０１４６】
図２４に示す表示リストテーブル作成処理のステップＳ１４０〜１４３は、図７に示す実施の形態１の表示リストテーブル作成処理のステップＳ１０〜１３と同様であるため、説明は省略する。
【０１４７】
制御部４は、地図情報を用いて、対象地点座標ｐから規定距離以内に算出された経路があるか否かを判別し（ステップＳ１４４）、対象地点座標ｐから規定距離以内に経路がない場合（ステップＳ１４４；Ｎｏ）、本処理を終了する。
【０１４８】
制御部４は、対象地点座標ｐから規定距離以内に経路がある場合（ステップＳ１２４；Ｙｅｓ）、現在地座標ｉと対象地点座標ｐとの距離ｄを算出する（ステップＳ１４５）。そして制御部４は、参照情報グループから表示リストテーブルに必要なデータを抽出して表示リストテーブルに追加し（ステップＳ１２６）、距離ｄが小さい順に表示リストテーブル内のレコードを並び替え（ステップＳ１２７）、本処理を終了する。
【０１４９】
表示リストテーブルの例は、図８に示す実施の形態１の表示リストテーブルの例と同様であるため、図示及び説明は省略する。
【０１５０】
図２５に、本実施の形態３における他の表示リストテーブル作成処理のフローチャートを示す。本表示リストテーブル作成処理は、入力部１ｄにより入力された目的地から現在地までの経路において、当該経路が含まれる地域及び当該地域に隣接する地域の位置情報を含む配信情報（情報グループ）を表示リストテーブルに選出する処理である。
【０１５１】
なお、ステップＳ１５０〜１５４は、図９に示す実施の形態１の表示リストテーブル作成処理のステップＳ２０〜２４と同様であるため、説明は省略する。
【０１５２】
制御部４は、対象地点座標ｐが含まれる地域は、経路が含まれる地域と同一又は隣接する地域か否かを判別し（ステップＳ１５５）、同一又は隣接する地域でない場合（ステップＳ１５５；Ｎｏ）、本処理を終了する。
【０１５３】
制御部４は、同一又は隣接する地域である場合（ステップＳ１５５；Ｙｅｓ）、目的地座標ｉと対象地点座標ｐとの距離ｄを算出し（ステップＳ１５６）、参照情報グループから表示リストテーブルに必要なデータを抽出して表示リストテーブルに追加し（ステップＳ１５７）、距離ｄが小さい順に表示リストテーブル内のレコードを並び替え（ステップＳ１５８）、本処理を終了する。
【０１５４】
図２４及び図２５に示した表示リストテーブル作成処理においては、配信情報（情報グループ）の位置情報として、ＩＤ１０の対象地点座標を用いているが、実施の形態１と同様に、配信情報に含まれるデータから住所、電話番号、公共団体コードのいずれかの情報を抽出し、当該抽出した情報に基づいて位置座標を算出し、当該位置座標をＩＤ１０の対称地点座標としてもよい。なお、この対象地点座標決定処理のフローチャートは、実施の形態１と同様であるため、図示及び説明は省略する。
【０１５５】
また、配信情報（情報グループ）の位置情報として、位置座標に限らず、郵便番号により特定される地域を用いてもよい。
図２５に示した表示リストテーブル作成処理において、ＩＤ１０の対象地点座標ｐが含まれる地域を決定する処理（ステップＳ１５０〜１５３）に替えて、
情報グループに含まれるデータから郵便番号を特定し、当該郵便番号が示す住所を含む地域（対象地域）を決定する処理（実施の形態１の図１３に示すステップＳ２００〜２０２）とし、ステップＳ１５５、Ｓ１５６に替えて、決定した対象地域に経路が含まれるか否かを判別し、決定した対象地域に経路が含まれる場合には現在地座標ｉと対象地域ｐとの距離ｄを算出して、表示リストテーブルに選出してもよい。
【０１５６】
作成された表示リストテーブルの内容を表示するリスト画面を表示部１ｅに表示させるリスト画面表示処理、詳細画面表示処理、詳細画面の例は、実施の形態１と同様であるため、図示及び説明は省略する。
【０１５７】
図２６に、実施の形態３におけるリスト画面の例を示す。
図２６に示すように、リスト画面Ｇ４は、表示リスト領域Ｅ４、並替ボタンＢ１ａ、条件ボタンＢ１ｂ等を有している。なお、並替ボタンＢ１ａ、条件ボタンＢ１ｂは、実施の形態１と同様であるため、説明は省略する。
【０１５８】
表示リスト領域Ｅ４は、表示リストテーブルを構成する各情報グループのレコードの内容を示す項目が表形式で表示される。この表示リスト領域Ｅ４に表示される項目の順番は、表示リストテーブルを構成する情報グループのレコードの順番と同じ、即ち、経路から予め設定された距離（規定処理）以内であって現在地の位置情報から近い順であり、また、この項目が選択されると、選択された項目の情報グループの内容を表示する詳細画面処理が実行される。
【０１５９】
［実施の形態４］
以下、図を参照して本発明の実施の形態４を詳細に説明する。
本実施の形態４における配信システムの構成、配信情報、配信情報に含まれる各ＩＤの内容、路側無線装置２０の構成は、実施の形態１と同様であるため、図示及び説明は省略する。また、車載器１０は、制御部４において実行される表示リストテーブル作成処理が異なる以外は実施の形態１と同様であるため、図示を省略し、異なる部分のみ説明する。
【０１６０】
本実施の形態４における制御部４は、位置情報を含む配信情報を全て選出し、選出した配信情報を並べて表示部１ｅに表示させる。
【０１６１】
更に、制御部４は、配信情報の位置情報として、ＩＤ１０の対象地点座標の経度緯度情報を用いたり、配信情報に含まれる文字や数字のデータから経度緯度情報を特定可能な住所、電話番号、郵便番号、公共団体コードのいずれかの情報を抽出し、当該抽出した情報に基づいて位置情報を特定したりする。
【０１６２】
次に、動作について説明する。
本実施の形態４における車載器１０の制御部４により実行される抽出処理は、表示リストテーブル作成処理の内容が異なる以外は実施の形態１と同様であるため、図示及び説明は省略する。
【０１６３】
図２７に、本実施の形態４における表示リストテーブル作成処理のフローチャートを示す。
本表示リストテーブル作成処理は、実施の形態１〜３のようには予め設定された範囲以内の位置情報を含む配信情報を選出するのではなく、位置情報を含む配信情報（情報グループ）全てを表示リストテーブルに選出する処理である。
【０１６４】
図２７に示す表示リストテーブル作成処理のステップＳ１６０〜１６３は、図７に示す実施の形態１の表示リストテーブル作成処理のステップＳ１０〜１３と同様であるため、説明は省略する。
【０１６５】
制御部４は、現在地座標ｉと対象地点座標ｐとの距離ｄを算出する（ステップＳ１６４）。そして制御部４は、参照情報グループから表示リストテーブルに必要なデータを抽出して表示リストテーブルに追加し（ステップＳ１６５）、本処理を終了する。
【０１６６】
表示リストテーブルの例は、図８に示す実施の形態１の表示リストテーブルの例と同様であるため、図示及び説明は省略する。
【０１６７】
図２７に示した表示リストテーブル作成処理においては、配信情報（情報グループ）の位置情報として、ＩＤ１０の対象地点座標を用いているが、実施の形態１と同様に、配信情報に含まれるデータから住所、電話番号、公共団体コードのいずれかの情報を抽出し、当該抽出した情報に基づいて位置座標を算出し、当該位置座標をＩＤ１０の対称地点座標としてもよい。なお、この対象地点座標決定処理のフローチャートは、実施の形態１と同様であるため、図示及び説明は省略する。
【０１６８】
また、配信情報（情報グループ）の位置情報として、位置座標に限らず、郵便番号により特定される地域を用いてもよい。図２７示した表示リストテーブル作成処理において、ＩＤ１０の対象地点座標ｐを決定する処理（ステップＳ１６０〜１６２）に替えて、情報グループに含まれるデータから郵便番号を特定し、当該郵便番号が示す住所を含む地域（対象地域）を決定する処理（実施の形態１の図１３に示すステップＳ２００〜２０２）とし、ステップＳ１６４に替えて、現在地座標ｉと対象地域ｐとの距離ｄを算出して、表示リストテーブルに選出してもよい。
【０１６９】
作成された表示リストテーブルの内容を示すリスト画面を表示部１ｅに表示させるリスト画面表示処理、リスト画面、詳細画面表示処理、詳細画面の例は、実施の形態１と同様であるため、図示及び説明は省略する。
【０１７０】
本実施の形態４において、図１５に示したリスト画面の並替ボタンＢ１ａと条件ボタンＢ１ｂがそれぞれ選択された際の画面例を示す。
図２８に、並替ボタンＢ１ａが選択された際に表示される並替画面の例、図２９に条件ボタンＢ１ｂが選択された際に表示される条件画面の例、図３０に、並び替えられた後に表示されるリスト画面の例を示す。
【０１７１】
図２８に示すように、並替画面Ｇ５は、並替選択項目領域Ｅ５、並替実行ボタンＢ５を有している。並替選択項目領域Ｅ５は、リスト画面Ｇ１に表示される情報グループを示す項目の表示順番を並び替える条件を示す項目が表形式で表示されている。この並び替えの条件としては、現在地から近い順番、有効期限が迫っている順番（有効期限が現在日時に近い順番）、有効期限が新しい順番、カテゴリの順番等である。
【０１７２】
この並替選択項目領域Ｅ５に表示されている項目のいずれかが選択された後に並替実行ボタンＢ５が選択されると、選択された項目に対応する並び替えの条件に基づいて、リスト画面Ｇ１に表示される情報グループの順番、即ち、表示リストテーブルにおける情報グループのレコードの順番が変更される。例えば、カテゴリの順番が選択された場合には、カテゴリの番号が小さい順に表示リストテーブル内の情報グループのレコードが並べ替えられ、リスト画面の表示リスト領域に情報グループの項目がカテゴリの番号が小さい順に表示されることとなる。
【０１７３】
図２９に示すように、条件画面Ｇ６は、条件選択項目領域Ｅ６、並替実行ボタンＢ６を有している。条件選択項目領域Ｅ６は、リスト画面Ｇ１に表示される情報グループを示す項目の条件（表示条件）が表形式で表示されている。この条件としては、カテゴリ、施設、クーポン、利用可能性（現在使用できるか否か）等である。
【０１７４】
この条件選択項目領域Ｅ６に表示されている条件のいずれかが選択された後に並替実行ボタンＢ６が選択されると、選択された条件に基づいて、リスト画面Ｇ１に表示される情報グループの順番、即ち、表示リストテーブルにおける情報グループのレコードの順番が変更される。例えば、カテゴリが選択された場合には、カテゴリ別に表示リストテーブル内の情報グループのレコードが並べ替えられ、リスト画面の表示リスト領域に情報グループの項目がカテゴリ別に表示されることとなる。
【０１７５】
図３０に示すリスト画面Ｇ７は、図１５に示すリスト画面Ｇ１の表示リスト領域Ｅ１に表示されている項目が並び替えられた状態の画面である。
図３０に示すリスト画面Ｇ７は、図２８に示す並替画面Ｇ５の並替選択項目領域Ｅ５に表示されている「カテゴリの順番」の項目が選択、又は、図２９に示す条件画面Ｇ６の条件選択項目領域Ｅ６に表示されている「カテゴリで選ぶ」の条件が選択され、並替実行ボタンが選択された場合に、図１５に示したリスト画面Ｇ１の表示リスト領域Ｅ１に表示されている項目の順番が、図３０に示すリスト画面Ｇ７の表示リスト領域Ｅ１に表示されている項目の順番のように、選択された項目（カテゴリの順番）又は条件（カテゴリ毎）に応じて並び替えられて表示された画面となる。
【０１７６】
以上のように、本実施の形態１〜４によれば、多量の配信情報から位置情報を含む配信情報の検索作業の簡便化を図ることができる。即ち、位置情報を含む配信情報のみに絞り込みを行なうことができるため、階層構造を用いなくとも、容易に配信情報を検索することができる。
【０１７７】
特に、現在地又は目的地から近い順番に配信情報の内容を表示することができる。
また、表示される配信情報は位置情報（緯度経度）を含むため、選択した配信情報を提供可能な位置がわかり、更にこの選択された配信情報よりも下位の階層の配信情報を容易に得ることができる。例えば、表示される配信情報が店舗の情報であって、当該配信情報の下位の階層の配信情報として当該店舗のクーポン情報がある場合、店舗の位置を得ることができると共に、階層を用いて当該店舗のクーポン情報を容易に得ることができる。そのため、従来のように上位の階層から順番に目的とする配信情報を検索する配信情報の検索作業よりも簡便化することができる。
【０１７８】
なお、本発明は、上記実施形態に限らず、適宜変更可能であるのは勿論である。
【図面の簡単な説明】
【０１７９】
【図１】配信システムの構成図である。
【図２】配信情報のイメージ図である。
【図３】配信情報に含まれる各ＩＤの内容を示す図である。
【図４】路側無線装置の路側エリアを説明する図である。
【図５】車載器１０の構成図である。
【図６】抽出処理のフローチャートである。
【図７】実施の形態１における表示リストテーブル作成処理のフローチャートである。
【図８】表示リストテーブルの例である。
【図９】実施の形態１における他の表示リストテーブル作成処理のフローチャートである。
【図１０】住所に基づいて対象地点座標を決定する対象地点座標決定処理のフローチャートである。
【図１１】電話番号に基づいて対象地点座標を決定する対象地点座標決定処理のフローチャートである。
【図１２】公共団体コードに基づいて対象地点座標を決定する対象地点座標決定処理のフローチャートである。
【図１３】実施の形態１における郵便番号に基づく表示リストテーブル作成処理のフローチャートである。
【図１４】表示リストテーブルの内容が表形式で示されたリスト画面を表示させるリスト画面表示処理のフローチャートである。
【図１５】リスト画面の例を示す図である。
【図１６】表示リストテーブルの各情報グループの位置情報に基づく地図画面上の位置に、各情報グループに対応するアイコンが表示された地図画面を表示させるリスト画面表示処理のフローチャートである。
【図１７】地図画面の例を示す図である。
【図１８】リスト画面の項目が選択された際の詳細画面表示処理のフローチャートである。
【図１９】詳細画面の例を示す図である。
【図２０】地図画面上のアイコンが選択された際の詳細画面表示処理のフローチャートである。
【図２１】実施の形態２における表示リストテーブル作成処理のフローチャートである。
【図２２】実施の形態２における他の表示リストテーブル作成処理のフローチャートである。
【図２３】実施の形態２における郵便番号に基づく表示リストテーブル作成処理のフローチャートである。
【図２４】実施の形態３における表示リストテーブル作成処理のフローチャートである。
【図２５】実施の形態３における他の表示リストテーブル作成処理のフローチャートである。
【図２６】実施の形態３におけるリスト画面の例を示す図である。
【図２７】実施の形態４における表示リストテーブル作成処理のフローチャートである。
【図２８】並替画面の例を示す図である。
【図２９】条件画面の例を示す図である。
【図３０】並び替えられた後に表示されるリスト画面の例を示す図である。
【符号の説明】
【０１８０】
１  カーナビ部
１ａ  カーナビ制御部
１ｂ  現在地検出部
１ｃ  地図記憶部
１ｄ  入力部
１ｅ  表示部
１ｆ  記憶部
２  通信モジュール
３  ＤＳＲＣ部
３ａ  ＤＳＲＣ制御部
３ｂ  通信部
３ｃ  記憶部
３ｅ  ＥＴＣ処理部
３ｆ  ＩＣカードＩ／Ｆ
４  制御部
１０  車載器
２０  路側無線装置
２０ａ  本体装置
２０ｂ  アンテナ
３０  センター装置
１００  配信システム
Ｂ１ａ  並替ボタン
Ｂ１ｂ  条件ボタン
Ｂ２ａ、Ｂ２ｂ  アイコン
Ｂ３ａ  ネットワーク接続ボタン
Ｂ３ｂ  戻るボタン
Ｂ５、Ｂ６  並替実行ボタン
Ｃ  車両
Ｅ１、Ｅ４  表示リスト領域
Ｅ２  地図領域
Ｅ３  メッセージ領域
Ｅ５  並替選択項目領域
Ｅ６  条件選択項目領域
Ｇ１、Ｇ４、Ｇ７  リスト画面
Ｇ２  地図画面
Ｇ３  詳細画面
Ｇ５  並替画面
Ｇ６  条件画面
Ｎ  ネットワーク
Ｚ  路側エリア
【図１】
2009175610.tif 000003
【図２】
2009175610.tif 000004
【図３】
2009175610.tif 000005
【図４】
2009175610.tif 000006
【図５】
2009175610.tif 000007
【図６】
2009175610.tif 000008
【図７】
2009175610.tif 000009
【図８】
2009175610.tif 000010
【図９】
2009175610.tif 000011
【図１０】
2009175610.tif 000012
【図１１】
2009175610.tif 000013
【図１２】
2009175610.tif 000014
【図１３】
2009175610.tif 000015
【図１４】
2009175610.tif 000016
【図１５】
2009175610.tif 000017
【図１６】
2009175610.tif 000018
【図１７】
2009175610.tif 000019
【図１８】
2009175610.tif 000020
【図１９】
2009175610.tif 000021
【図２０】
2009175610.tif 000022
【図２１】
2009175610.tif 000023
【図２２】
2009175610.tif 000024
【図２３】
2009175610.tif 000025
【図２４】
2009175610.tif 000026
【図２５】
2009175610.tif 000027
【図２６】
2009175610.tif 000028
【図２７】
2009175610.tif 000029
【図２８】
2009175610.tif 000030
【図２９】
2009175610.tif 000031
【図３０】
2009175610.tif 000032